(57)【要約】【課題】帯芯地に備長炭のパウダーを混入させて帯に付着した汗や臭いを除去すること、また、強力な抗菌力でもって帯を常に清潔で快適に保つこと。さらには、吸湿性を持たせてカビの発生を防止し、帯芯地より遠赤外線を放射させて冬は温かく、夏は涼しい帯芯地を提供すること。また、マイナスイオンにより疲労を回復させ、有害な化学物質の除去も可能とすること。【解決手段】ポリエステル繊維に備長炭１の超微粒子のパウダー２を混入し、このポリエステル繊維を重量比で約３０％、綿を約７０％の割合で製糸した繊維３を用い帯芯地４を紡ぐ。そして、袋状とした帯５の中に、所定の寸法で裁断した帯芯地４を入れておく。【選択図】        図１
2005015943.tif 000002
【特許請求の範囲】
【請求項１】
着物の帯の中に該帯の保形用として納装される帯芯地において、
備長炭（１）を粉砕して超微粒子としたパウダー（２）を混入した帯芯地（４）を形成していることを特徴とする備長炭のパウダー入り帯芯地。
【請求項２】
着物の帯の中に該帯の保形用として納装される帯芯地において、
備長炭（１）を粉砕して超微粒子としたパウダー（２）を化学繊維に混入して形成したパウダー入り化学繊維と綿とを製糸し、この製糸した繊維（３）で帯芯地（４）を形成していることを特徴とする備長炭のパウダー入り帯芯地。
【請求項３】
前記化学繊維のパウダー（２）の含有割合が１〜５重量％の範囲内であることを特徴とする請求項１または請求項２に記載の備長炭のパウダー入り帯芯地。
【請求項４】
前記化学繊維と前記綿との割合を重量比で約３０％と約７０％としていることを特徴とする請求項２に記載の備長炭のパウダー入り帯芯地。
【請求項５】
前記化学繊維をポリエステル繊維としていることを特徴とする請求項４に記載の備長炭のパウダー入り帯芯地。
【請求項６】
前記備長炭（１）の超微粒子のパウダー（２）の平均粒径を、約１μｍ程度としていることを特徴とする請求項１〜請求項５にいずれか記載の備長炭のパウダー入り帯芯地。
【発明の詳細な説明】
【０００１】
【発明の属する技術分野】
本発明は、着物の帯の中に芯材として挿入される帯芯地に関するものであり、より詳しくは、備長炭の超微粒子を繊維に練り込ませた生地で構成した備長炭のパウダー入り帯芯地に関するものである。
【０００２】
【従来の技術】
着物の帯はその保形性のために、ある程度の厚みの生地が用いられているが、帯のみだけでは、どうしても形を保つことができず、帯の中に帯芯地を入れている。
この帯芯地は、帯の中に入れているので外観には現れず、そのため、生地の材料も比較的安価な材料、例えば、木綿などを用いている。
【０００３】
【発明が解決しようとする課題】
着物をあまり着ない人は、通常はタンス内に長期間入れたままになり、帯や内部の帯芯地は湿気易くなり、カビが発生したりする。
また、旅館や料亭などで職業柄ふだん着物を着て働く人は、臭いが着物、帯などに吸着し、なかなか臭いが取れないという問題がある。また、着物や帯は比較的吸水性があり、上記と同様に汗や湿気を吸水して、やはりカビの発生の原因となっている。
【０００４】
本発明は上述の問題点に鑑みて提供したものであって、少なくと以下に示す目的を備えた備長炭のパウダー入り帯芯地を提供することを目的としているものである。
（１）帯芯地に備長炭のパウダーを混入させて帯に付着した汗や臭いを除去すること。
（２）強力な抗菌力でもって帯を常に清潔で快適に保つこと。
（３）吸湿性を持たせてカビの発生を防止すること。
（４）帯芯地より遠赤外線を放射させて冬は温かく、夏は涼しい帯芯地を提供すること。
（５）マイナスイオンにより疲労を回復させ、さわやかな心地よさを与えること。
（６）有害な化学物質の除去も可能とすること。
【０００５】
【課題を解決するための手段】
そこで、本発明の請求項１記載の備長炭のパウダー入り帯芯地では、着物の帯の中に該帯の保形用として納装される帯芯地において、
備長炭１を粉砕して超微粒子としたパウダー２を混入した帯芯地４を形成していることを特徴としている。
【０００６】
かかる構成とすることで、備長炭１の超微粒子のパウダー２を混入しているので、帯に付いた汗や臭いを除去できて、優れた消臭力を備えているものであり、また、抗菌効果を備えているので、帯にダニがつかず、帯は常に清潔で快適となる。
また、備長炭１の超微粒子のパウダー２が帯芯地４に混入されているので、湿度を吸収して帯芯地４や帯にカビが発生することを防止することができ、さらには、パウダー２からの遠赤外線放射により、冬温かく、夏は涼しいものであり、しかも、パウダー２からマイナスイオンが発生しているので、疲労を回復することも可能であり、爽やかな心地よさを帯芯地４を付けている人に与えるものである。また、ブドウ球菌などや有害化学物質も除去することができ、健康な生活環境を維持することができるものである。
【０００７】
請求項２に記載の備長炭のパウダー入り帯芯地では、着物の帯の中に該帯の保形用として納装される帯芯地において、
備長炭１を粉砕して超微粒子としたパウダー２を化学繊維に混入して形成したパウダー入り化学繊維と綿とを製糸し、この製糸した繊維３で帯芯地４を形成していることを特徴としている。
【０００８】
かかる構成とすることで、備長炭１の超微粒子のパウダー２を混入しているので、帯に付いた汗や臭いを除去できて、優れた消臭力を備えているものであり、また、抗菌効果を備えているので、帯にダニがつかず、帯は常に清潔で快適となる。
また、備長炭１の超微粒子のパウダー２が帯芯地４に混入されているので、湿度を吸収して帯芯地４や帯にカビが発生することを防止することができ、さらには、パウダー２からの遠赤外線放射により、冬温かく、夏は涼しいものであり、しかも、パウダー２からマイナスイオンが発生しているので、疲労を回復することも可能であり、爽やかな心地よさを帯芯地４を付けている人に与えるものである。また、ブドウ球菌などや有害化学物質も除去することができ、健康な生活環境を維持することができるものである。
【０００９】
請求項３に記載の備長炭のパウダー入り帯芯地では、前記化学繊維のパウダー２の含有割合が１〜５重量％の範囲内であることを特徴としている。
これにより、化学物質の吸着作用、遠赤外線による保温作用、マイナスイオンの発生作用などが十分に発揮されることになる。
【００１０】
請求項４に記載の備長炭のパウダー入り帯芯地では、前記化学繊維と前記綿との割合を重量比で約３０％と約７０％としていることを特徴としている。
これにより、綿自体が持つ吸水作用と相まって帯芯地４のカビの発生を確実に防止することができ、また、化学物質の吸着作用、遠赤外線による保温作用、マイナスイオンの発生作用などを発揮する好適な帯芯地４を提供することができる。
【００１１】
請求項５に記載の備長炭のパウダー入り帯芯地では、前記化学繊維をポリエステル繊維としていることを特徴としている。
これにより、備長炭１の超微粒子のパウダー２を容易にポリエステル繊維に混入することができ、好適な帯芯地４を提供することができる。
【００１２】
請求項６に記載の備長炭のパウダー入り帯芯地では、前記備長炭１の超微粒子のパウダー２の平均粒径を、約１μｍ程度としていることを特徴としている。
これにより、パウダー２による吸着効果を一層上げることができる。
【００１３】
【発明の実施の形態】
以下、本発明の実施の形態を図面を参照して詳細に説明する。古来より、木炭、特に姥目樫（うばめがし）を原料として炭化させた白炭（備長炭）は、燃料として使用されてきた。しかし、近年、燃料以外にも種々の用途が提案されている。例えば、水道水に入れてカルキ臭を消す、研ぎ終えた米とともに炊飯器に入れてご飯を炊く、冷蔵庫の臭い消しとして利用する、砕いた炭を枕の芯材の一部に利用する、などである。
【００１４】
このように炭が見直されてきたのは、特に、備長炭が見直されてきたのは、臭いなどの化学物質の吸着作用、遠赤外線による保温作用、マイナスイオンの発生作用などを有することが近年になって知見されるようになったからである。
【００１５】
本発明は、これらの優れた機能を有する備長炭を帯芯地に利用したものであり、特に、備長炭を粉砕し、この粉砕した備長炭の超微粒子のパウダーを帯芯地に混入させることで、上記種々の目的を達成しようとするものである。
【００１６】
次に、備長炭の超微粒子のパウダーを混入した帯芯地の製造工程について図２及び図３により説明する。図２（ａ）は備長炭１の要部斜視図を示し、この備長炭１を粉砕して図２（ｂ）に示すように超微粒子のパウダー２を生成する。
この備長炭１自体は、遠赤外線、マイナスイオン、ミネラルなどが豊富に含有されており、また、超微粉末化された備長炭（備長炭１の超微粒子のパウダー２）は、一般の備長炭の１００倍以上のマイナスイオンを発生させると言われている。
【００１７】
次に、図２（ｃ）に示すように、備長炭１の超微粒子のパウダー２を混入した繊維３を紡ぎ上げる。ここで、この繊維３は、綿を約７０％、化学繊維を約３０％の割合（重量比）で紡いだものであり、この化学繊維は、本発明では例えば、ポリエステルを使用している。そして、このポリエステル繊維に備長炭１の超微粒子のパウダー２を分散させて混入するようにしている。
【００１８】
このポリエステル繊維中、あるいは表面に備長炭１のパウダー２を分散あるいは付着させるには以下の方法をとっている。もちろん、ポリエステル繊維以外の他の化学繊維を用いるようにしても良い。
備長炭１のパウダー２を混入させる化学繊維は、パウダー２が混入される他は従来の化学繊維と同様に製糸されるものであり、下記のいずれかにより行なわれる。
【００１９】
（１）天然物から得られる天然高分子を化学処理して溶解性を付与し、次いで溶剤に溶解して得た溶液を、ノズルから繊維状に押し出した後、凝固液に入れるか溶剤を除去して凝固させることで製造される再生繊維。
（２）天然高分子を基本骨格としながら、その多くの部分を化学的に変成した半合成高分子を原料として使用し、この半合成高分子を溶剤に溶解した溶液、または加熱溶融させた融液を、上記と同様にノズルから繊維状に押し出したのちに凝固させて、すなわち、溶液の場合は凝固液に入れるか溶剤を除去して、また融液の場合は冷却して製造される半合成繊維。
（３）合成高分子を溶剤に溶解した溶液、または加熱溶融させた融液をノズルから繊維状に押し出し、凝固させて製造される合成繊維。
【００２０】
上記（１）〜（３）の各化学繊維のうち、（２）の半合成繊維、および（３）の合成繊維の製造においては、上記の紡糸工程に使用するペレットの原料である高分子のマスターバッチ中に、予め所定量の備長炭１のパウダー２を混入、分散させておくことにより、その後の紡糸工程を経て、備長炭１のパウダー２を混入させた繊維が製造される。
また、上記（１）の再生繊維の製造においては、繊維状に押し出す前の高分子の溶液に所定量のパウダー２を混入、分散させたのち、通常通りノズルから繊維状に押し出して凝固させることにより、備長炭１のパウダー２入りの繊維が製造される。
【００２１】
また、後者の方法は、（２）の半合成繊維、および（３）の合成繊維の製造にも適用できる。すなわち、繊維状の押し出す前の半合成高分子や合成高分子の溶液または融液に、所定量の備長炭１のパウダー２を混入、分散させたのち、通常通りノズルから繊維状に押し出して凝固させることで、パウダー２入りの繊維が製造される。
ここで、パウダー２入りの繊維におけるパウダー２の含有割合は、１〜５重量％の範囲内であるのが好ましい。この範囲内でもって、化学物質の吸着作用、遠赤外線による保温作用、マイナスイオンの発生作用などが十分に発揮されることになる。
【００２２】
備長炭１のパウダー２の含有割合がこの範囲未満では、繊維中にパウダー２を添加したことによる化学物質の吸着作用、遠赤外線放射による保温作用、マイナスイオンの発生作用などが十分に発揮されない恐れがある。また、逆にこの範囲を超えた場合には、相対的に繊維を構成する高分子の含有割合が低下するために、繊維の強度が低下し、場合によっては上記の製造方法ではパウダー２入りの繊維を製造できないおそれも生じる。
【００２３】
なお、備長炭１の超微粒子のパウダー２の含有割合は、上記の範囲内でもとくに２重量％前後であるのが好ましい。パウダー２としては、種々の炭の微粉砕物がいずれも使用可能ではあるが、特に上述したように、備長炭１に代表される白炭（活性化白炭）を微粉砕した、その平均粒径が約１μｍ程度の炭パウダー２が好適例である。パウダー２の平均粒径を約１μｍ程度としているので、パウダー２による吸着効果を一層上げることができる。
【００２４】
上記白炭は摂氏１２００度以上の温度で長時間焼成され、その内部構造が極めて微細なポーラス状となっているために、かかる白炭から製造されるパウダー２は、特に化学物質の吸着作用にすぐれている。例えば、備長炭１を微粉砕して製造されるパウダー２は、１ｇでおよそ畳２２０畳分の吸着面積を有すると言われている。
【００２５】
上記備長炭１の超微粒子のパウダー２を混入させる繊維を構成する高分子としては、上述した各種の化学繊維を形成するために使用される、天然、半合成あるいは合成の、従来公知の種々の高分子がいずれも使用可能であるが、中でもとくにポリエステル、ナイロン、アクリルなどの高分子が特に備長炭１のパウダー２を分散した状態での繊維の製造のし易さ、あるいはパウダー２の分散性などにすぐれるために、好適に使用される。
【００２６】
特に、本発明の帯芯地では、試行錯誤してテストを行なった結果、化学繊維にポリエステル繊維を用い、このポリエステル繊維に備長炭１の超微粒子のパウダー２を上述した製法で混入し、このポリエステル繊維を重量比で７０％、綿を３０％の割合で製糸した繊維３を用い帯芯地を紡ぐようにしたものである。
この割合で繊維３を構成したことで、綿自体が持つ吸水作用と相まって帯芯地４のカビの発生を確実に防止することができ、また、化学物質の吸着作用、遠赤外線による保温作用、マイナスイオンの発生作用などを発揮する好適な帯芯地４を提供することができる。また、ポリエステル繊維に備長炭１の超微粒子のパウダー２を混入するようにしているので、備長炭１のパウダー２のポリエステル繊維への混入を容易にし、好適な帯芯地４を提供することができる。
【００２７】
図３（ａ）はこのようにして繊維３を製糸した状態を示し、この繊維３を紡いで所定幅であって所定の長さに紡いだのが図３（ｂ）に示す帯芯地４である。
そして、図１に示すように、袋状とした帯５の中に、所定の寸法で裁断した帯芯地４を入れるものである。
【００２８】
なお、先の実施形態では、ポリエステル繊維を重量比で７０％、綿を３０％の割合で製糸した繊維３を用い帯芯地４を紡ぐようにしていたが、このポリエステル繊維と綿の重量比の割合はこれに限定されるものではない。
例えば、ポリエステル繊維を５０％、綿を５０％の重量比の割合でも良く、また、ポリエステル繊維を６０％、綿を４０％の重量比としたり、さらには、ポリエステル繊維を４０％、綿を６０％の重量比の割合としてもよい。もちろん、これらの数値に限定されず、適宜に重量比の割合を変えて繊維３を混紡するようにしても良い。
【００２９】
図４は上記帯芯地４のアンモニアに対する吸着性と酢酸に対する吸着性の試験結果を示すものであり、アンモニアに対する吸着性（初発濃度：４０ｐｐｍ）は、２４時間後では、備長炭１の超微粒子のパウダー２を混入しない生地では、２３ｐｐｍであったのが、本発明の帯芯地４では１３ｐｐｍと約半分程度に低下している。
また、酢酸に対する吸着性（初発濃度：１００ｐｐｍ）は、２４時間後では、備長炭１の超微粒子のパウダー２を混入しない生地では、４４ｐｐｍであったのが、本発明の帯芯地４では５．７ｐｐｍと約１／８程度に低下している。
【００３０】
図５は黄色ブドウ球菌に対する抗菌性の試験結果を示し、本発明の帯芯地４では生菌数が１．５×１０４  であったのが、０．２に低下している。いわゆるＳＥＫ青レベル基準値が２．２以上なので、十分抗菌性を持った数値となっている。なお、比較例としてのナイロン標準白布では、接種直後では、２．４×１０４  であったのが、１．２×１０７  と増加している。
【００３１】
このように本発明の帯芯地４は、備長炭１の超微粒子のパウダー２を混入しているので、帯に付いた汗や臭いを除去できて、優れた消臭力を備えているものであり、また、抗菌効果を備えているので、帯にダニがつかず、帯は常に清潔で快適となる。
また、備長炭１の超微粒子のパウダー２が帯芯地４に混入されているので、湿度を吸収して帯芯地４や帯にカビが発生することを防止することができ、さらには、パウダー２からの遠赤外線放射により、冬温かく、夏は涼しいものであり、しかも、パウダー２からマイナスイオンが発生しているので、疲労を回復することも可能であり、爽やかな心地よさを帯芯地４を付けている人に与えるものである。また、ブドウ球菌などや有害化学物質も除去することができ、健康な生活環境を維持することができるものである。
【００３２】
特に、本発明の帯芯地４を入れた帯を付けることで、旅館や料亭など職業柄着物を着ることが多い人にとっては、非常に明朗となる。
【００３３】
なお、上記の実施形態において、備長炭１の超微粒子のパウダー２を化学繊維（ポリエステル繊維）の中に混入し、この化学繊維と綿とを紡いで繊維３を形成していたが、通常の綿からなる帯芯地４に備長炭１の超微粒子のパウダー２を噴霧して帯芯地４の内部に混入したり、帯芯地４の表面に付着させるようにしても良い。
【００３４】
【発明の効果】
本発明によれば、備長炭の超微粒子のパウダーを混入しているので、帯に付いた汗や臭いを除去できて、優れた消臭力を備えているものであり、また、抗菌効果を備えているので、帯にダニがつかず、帯は常に清潔で快適となる。
また、備長炭の超微粒子のパウダーが帯芯地に混入されているので、湿度を吸収して帯芯地や帯にカビが発生することを防止することができ、さらには、パウダーからの遠赤外線放射により、冬温かく、夏は涼しいものであり、しかも、パウダーからマイナスイオンが発生しているので、疲労を回復することも可能であり、爽やかな心地よさを帯芯地を付けている人に与えるものである。また、ブドウ球菌などや有害化学物質も除去することができ、健康な生活環境を維持することができるものである。
特に、本発明の帯芯地を入れた帯を付けることで、旅館や料亭など職業柄着物を着ることが多い人にとっては、非常に明朗となる。
【図面の簡単な説明】
【図１】本発明の実施の形態における帯芯地の使用説明図である。
【図２】（ａ）〜（ｃ）は本発明の実施の形態における帯芯地の製造工程を示す説明図である。
【図３】（ａ）（ｂ）は本発明の実施の形態における帯芯地の製造工程を示す説明図である。
【図４】本発明の実施の形態におけるアンモニアと酢酸に対する吸着性の試験結果を示す図である。
【図５】本発明の実施の形態における抗菌性の試験結果を示す図である。
【符号の説明】
１  備長炭
２  パウダー
３  繊維
４  帯芯地
５  帯
【図１】
2005015943.tif 000003
【図２】
2005015943.tif 000004
【図３】
2005015943.tif 000005
【図４】
2005015943.tif 000006
【図５】
2005015943.tif 000007